Podtech/llm-jp-corpus-v4-ja_patent huggingface dataset:
【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  セメント性マトリックスを強化するための繊維ステープル束であって、前記ステープル束が、複屈折率が０．０１８５０から０．０２３０の範囲にある溶融紡糸ポリプロピレン繊維と、複屈折率が０．０３５０から０．０４８０の範囲にある溶融紡糸ナイロン繊維とからなる群の少なくとも一方からなるものであり、
さらに、前記繊維は引張応力が１０グラム／デニール超で３５グラム／デニール未満であり、牽引強度が２．１グラム／デニール超で３．７グラム／デニール未満であり、伸長率が３０％超で２２５％未満であることを特徴とする繊維ステープル束。
【請求項２】  前記束が複屈折率が０．０３５０から０．０４４０の範囲にある溶融紡糸ナイロン繊維からなるものである請求項１記載の繊維ステープル束。
【請求項３】  さらに、複屈折率が０．０１８５０から０．０２３０の範囲にある溶融紡糸ポリプロピレン繊維を含む請求項２記載の繊維ステープル束。
【請求項４】  複屈折率が０．０１８５０から０．０２３０の範囲にある溶融紡糸ポリプロピレン繊維と、溶融紡糸ナイロン繊維とを含む、セメント性マトリックスを強化するための繊維ステープル束。
【請求項５】  セメント性物質と強化繊維ステープルとからなるセメント性マトリックスであって、前記繊維ステープルは、複屈折率が０．０１８５０から０．０２３０の範囲にある溶融紡糸ポリプロピレン繊維と、複屈折率が０．０３５０から０．０４８０の範囲にある溶融紡糸ナイロン繊維とからなる群の少なくとも一方からなり、前記繊維は、引張応力が１０グラム／デニール超で３５グラム／デニール未満であり、牽引強度が２．１グラム／デニール超で３．７グラム／デニール未満であり、伸長率が３０％超で２２５％未満である、セメント性マトリックス。
【請求項６】  前記繊維に、化学的安定性が改善されることを特徴とする高品質の繊維を得るために選択された化学物質が含浸している請求項１記載の繊維ステープル束。
【請求項７】  前記高品質の繊維は、卓越した抗塩基性分解性を有している請求項１記載の繊維ステープル束。
【請求項８】  セメント性マトリックスの強化に適した溶融紡糸合成繊維ステープルの製造方法であって、
（ａ）ポリマーを溶融し、紡糸口金から排出して延伸糸繊維を形成し、
（ｂ）対応する連続フィラメントヤーンに基づいて測定された繊維対金属の摩擦係数が０．４００超で、対応する連続フィラメントヤーンに基づいて測定された繊維対繊維の摩擦係数が０．７００未満であることを特徴とする高品質の繊維を得るために、前記延伸糸繊維に紡糸仕上げ材を塗布し、
（ｃ）前記延伸糸繊維を切断してステープルにする、
という工程からなる方法。
【請求項９】  セメント性マトリックスの強化に適した溶融紡糸合成繊維ステープルの製造方法であって、
（ａ）配向と機械的特性を制御するために、標準的な１段紡糸工程を管理された速度で行い、低配向度の糸繊維を製造し、
（ｂ）前記低配向度の糸繊維に紡糸仕上げ材を塗布し、対応する連続フィラメントヤーンに基づいて測定された繊維対金属の摩擦係数が０．４００超であり、対応する連続フィラメントヤーンに基づいて測定された繊維対繊維の摩擦係数が０．７００未満であることを特徴とする高品質の繊維を得、
（ｃ）前記低配向度の糸繊維を切断してステープルにする、
という工程からなる方法。
【請求項１０】  部分配向された前記糸繊維がポリプロピレン繊維であり、複屈折率が０．０１８５から０．０２３０の範囲にあることを特徴とする分子配向度を有している請求項９記載の方法。
【請求項１１】  部分配向された前記糸繊維がナイロン繊維であり、複屈折率が０．０３５０から０．０４４０の範囲にあることを特徴とする分子配向度を有している請求項第９記載の方法。
【請求項１２】  部分配向された前記糸繊維は、引張応力が１８グラム／デニール超で３５グラム／デニール未満、牽引強度が２．１グラム／デニール超で３．７グラム／デニール未満、伸長率が３０％超で２２５％未満であることを特徴とする請求項９記載の方法。
【請求項１３】  前記紡糸仕上げ材の塗布工程が、非イオン性の乳化剤、石鹸、アニオン系表面活性剤及びシリコン系表面活性剤からなる群から選択された少なくとも一つの物質の水溶液から得られる被覆材の塗布を含む請求項９記載の方法。
【請求項１４】  前記紡糸仕上げ材が、動粘度を少なくとも１５０センチストークスまで増加させ、表面張力を少なくとも６０ｄｙｎｅ／ｃｍまで増加させることにより、繊維間の密着度を低下させるものである請求項９記載の方法。
【請求項１５】  前記高品質の繊維は、さらに、１立米のコンクリートあたり４００グラムの繊維が、強化されたコンクリートのスランプを１５％未満に減少させながら、強化されていない同等のセメント性マトリックスに比べ前記コンクリート内のセメント性マトリックスのひび割れ度を８０％超も減少させるという程度に、コンクリート又はセメント系組織の強化に用いられる標準の繊維に比べ高いスランプ値を維持しつつ、すぐれた塑性ひび割れ抑止力を有していることを特徴とする請求項９記載の方法。
【手続補正書】
【提出日】平成19年3月12日(2007.3.12)
【手続補正１】
【補正対象書類名】明細書
【補正対象項目名】発明の名称
【補正方法】変更
【補正の内容】
【発明の名称】ヒートシールテープ及び封止物品製造方法
【手続補正２】
【補正対象書類名】明細書
【補正対象項目名】特許請求の範囲
【補正方法】変更
【補正の内容】
【特許請求の範囲】
【請求項１】  低軟化点ガラスと、
複数の耐熱性粒子と、
分散剤と、
バインダと、
を含み、かつ第１および第２の表面を備えたガラスシーラントの自立層を含む、基材をヒートシールするためのテープ。
【請求項２】  （ｉ）請求項１に記載の基材をヒートシールするためのテープを第１の基材に接触させて配置するステップと、
（ｉｉ）前記テープが少なくとも部分的に前記第１の基材と前記第２の基材との間に位置されるように前記テープに第２の基材を接触させて配置することにより、前記テープが前記第１の基材と前記第２の基材との間に少なくとも部分的に介在したアセンブリを形成するステップと、
（ｉｉｉ）前記ガラスシーラント層が融解可能な温度まで、前記アセンブリを加熱するステップと、
（ｉｖ）前記ガラスシーラント層の少なくとも一部を融解するステップと、
（ｖ）前記アセンブリを冷却させて、前記少なくとも一部が溶融したガラスシーラントを固化させるステップと、
を含む、封止物品製造方法。
【誤訳訂正書】
【提出日】平成19年3月27日(2007.3.27)
【誤訳訂正１】
【訂正対象書類名】明細書
【訂正対象項目名】特許請求の範囲
【訂正方法】変更
【訂正の内容】
【特許請求の範囲】
【請求項１】  哺乳類における再発癌の治療方法であって、リポソーム封入ビンカアルカロイドを含む医薬組成物を前記哺乳類に投与することを含む方法。
【請求項２】  前記再発癌がリンパ腫または白血病である請求項１の方法。
【請求項３】  前記再発癌が非ホジキンリンパ腫である請求項１の方法。
【請求項４】  前記非ホジキンリンパ腫が低分化型非ホジキンリンパ腫、中等度分化型非ホジキンリンパ腫、濾胞性リンパ腫、大細胞型リンパ腫、Ｂ細胞リンパ腫、Ｔ細胞リンパ腫、外套細胞リンパ腫、バーキットリンパ腫、ＮＫ細胞リンパ腫および急性リンパ芽球性リンパ腫から成る群から選択される一員である請求項１の方法。
【請求項５】  前記ビンカアルカロイドがビンクリスチンである請求項１の方法。
【請求項６】  前記ビンカアルカロイドがビンブラスチン、ビンデシンおよびビノレルビンから成る群から選択される請求項１の方法。
【請求項７】  前記リポソームがスフィンゴミエリンを含む請求項１の方法。
【請求項８】  前記リポソームがコレステロールをさらに含む請求項７の方法。
【請求項９】  前記リポソームがｐＨ勾配を含む請求項１の方法。
【請求項１０】  前記ｐＨ勾配が、前記リポソームの外側より内側の方がｐＨが低くなっている請求項９の方法。
【請求項１１】  前記哺乳類がヒトである請求項１の方法。
【請求項１２】  前記哺乳類が予め少なくとも１回の化学療法処置を受けている請求項１の方法。
【請求項１３】  前記リポソーム封入ビンカアルカロイドが静脈内送達により全身に投与される請求項１の方法。
【請求項１４】  前記リポソーム封入ビンカアルカロイドが少なくとも１つの付加的な化学療法薬と同時投与される請求項１の方法。
【請求項１５】  前記少なくとも１つの付加的な化学療法薬がシクロホスファミド、ドキソルビシン、プレドニソンおよびそれらの組合せから成る群から選択される一員である請求項１４の方法。
【請求項１６】  前記リポソーム封入ビンカアルカロイドが少なくとも１つの付加的な抗腫瘍薬と同時投与される請求項１の方法。
【請求項１７】  前記付加的な抗腫瘍薬がモノクローナル抗体である請求項１６の方法。
【請求項１８】  前記モノクローナル抗体がリツキサン（商標、Rituxan）、オンコリム（商標、Oncolym）およびベキサール（商標、Bexxar）から成る群から選択される一員である請求項１７の方法。
【請求項１９】  前記付加的な抗腫瘍薬がアンチセンス薬または抗腫瘍ワクチンである請求項１６の方法。
【請求項２０】  前記ビンクリスチンが約1.4〜約2.4 mg/m2の用量で前記患者に投与される請求項５の方法。
【請求項２１】  前記ビンクリスチンが7〜21日毎に1回前記患者に投与される請求項５の方法。
【請求項２２】  前記ビンクリスチンが14日毎に１回前記患者に投与される請求項２１の方法。
【請求項２３】  前記組成物がカルジオリピンを含有しない請求項１の方法。
【請求項２４】  哺乳類における癌の治療方法であって、リポソーム封入ビンカアルカロイドを含む医薬組成物を前記哺乳類に投与することを含む方法。
【請求項２５】  前記形質転換癌が白血病又はリンパ腫である請求項２４の方法。
【請求項２６】  前記ビンカアルカロイドがビンクリスチンである請求項２５の方法。
【請求項２７】  前記癌が腫瘍である請求項２４記載の方法。
【請求項２８】  前記ビンカアルカロイドがビルロビンである、請求項２７に記載の方法。
【請求項２９】  前記リポソームがスフィンゴミエリンおよびコレステロールを含む請求項２４の方法。
【請求項３０】  哺乳類における新形成の治療に用いるためのキットであって、リポソーム封入ビンカアルカロイドの調製に有用な構成成分、リポソーム封入ビンカアルカロイドを調製するための使用説明書および前記新形成の治療におけるリポソーム封入ビンカアルカロイドの使用のための使用説明書を包含するキット。
【請求項３１】  少なくとも３つのバイアルを含み、バイアルの１つが硫酸ビンクリスチン、を含有し、バイアルの１つがクエン酸緩衝液中に懸濁されたスフィンゴミエリンおよびコレステロールを含むリポソームを含有し、そしてバイアルの１つがアルカリ性リン酸塩緩衝液を含有する請求項３０のキット。
【請求項３２】  哺乳類における新形成の治療において使用するためのキットであって、当該キットは：
（ａ）ビンクリスチン溶液を含む第１のバイアル、ここで当該ビンクリスチンは１mg/ml〜５mg/mlの量で存在し、当該溶液は3.5〜5.5の範囲のｐＨを有する；
（ｂ）クエン酸干渉溶液中のリポソームを含む第２のバイアル、ここで当該リポソームは、スフィンゴミエリンとコレステロールを75/25（mol％スフィンゴミエリン/mol％コレステロール）〜50/50（mol％スフィンゴミエリン/mol％コレステロール）の比で含み、そして当該リポソームの内部及び外部のｐＨは、酸性である；
（ｃ）第２のバイアルの溶液よりも高いｐＨを有するアルカリリン酸緩衝液を含む第３のバイアル、従って第２のバイアルの溶液と第３のバイアルの溶液を組み合わせることでリポソームの外部ｐＨが中性になる；そして
（ｄ）哺乳類における新形成の治療に有用なリポソーム組成物を調製する当該キットの使用に関する説明書、
を含むキット。
【請求項３３】  哺乳類における新形成の治療に用いるためのキットであって、リポソーム封入ビンカアルカロイドの安定な処方物、前記新形成の治療におけるリポソーム封入ビンカアルカロイドの使用のための使用説明書を含むキット。
【誤訳訂正２】
【訂正対象書類名】明細書
【訂正対象項目名】００９３
【訂正方法】変更
【訂正の内容】
【００９３】
好ましい組合せ養生法は、：シクロホスファミド、ヒドロキシダウノルビシン（ドキソルビシン）、OncoTCS（商標）およびプレドニソンを包含する改良型ＣＨＯＰ養生法（「リポ−ＣＨＯＰ」）である。一治療サイクルは約5日を要し、サイクルは約21〜28日毎に反復される。模範的サイクルは、以下からなる：
シクロホスファミド（750 mg/m2ＩＶ、ｄ１）
ヒドロキシダウノルビシン（50 mg/m2ＩＶ、ｄ１）
OncoTCS（商標）（2.0 mg/m2ＩＶ、ｄ１（最高値なし））
プレドニソン（100 mgＰＯｑｄｘ５日）
【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】  組み込まれた１つまたはそれ以上の薬物を有してなるコポリマービークルを含有してなる、組み込まれた１つまたはそれ以上の薬物の管内治療部位への局所送達および持続放出に適した歯内治療用繊維。
【請求項２】  薬物が、抗生物質、抗炎症剤、抗菌剤、免疫性薬剤、および免疫調節剤ならびにそれらの組み合わせからなる群より選択されてなる、請求項１記載の歯内治療用繊維。
【請求項３】  薬物が、クリンダマイシン、テトラサイクリンおよびそれらの組み合わせからなる群より選択された抗生物質である、請求項２記載の歯内治療用繊維。
【請求項４】  該繊維が約０．１ｍｍ〜約２．０ｍｍの直径を有するエチレンビニルアセテートコポリマーであり、抗生物質が１０ｍｍの繊維当たり約２．０ｍｇ〜約５．０ｍｇの用量で組み込まれたクリンダマイシンである、請求項１記載の歯内治療用繊維。
【請求項５】  薬物が、抗生物質および抗炎症剤の組み合わせを含有してなる、請求項２記載の歯内治療用繊維。
【請求項６】  組み込まれた１つまたはそれ以上の薬物を有してなるコポリマービークルを含有してなる、組み込まれた薬物の管内治療部位への送達および持続放出に適した改変された歯周用繊維であって、コポリマーがその表面粘着性が減少し、その硬性が増大するように処理されてなる、改変された歯周用繊維。
【請求項７】  （ａ）組み込まれた１つまたはそれ以上の薬物を有してなる、管内使用に適した歯内治療用繊維を得る工程；
（ｂ）該繊維が治療部位に直接接触するように根管に（ａ）の繊維を配置する工程；および
（ｃ）治療部位で繊維を維持する工程、
を含み、それにより、薬物が制御された速度で治療部位に送達される、管内治療部位への薬物の局所送達および持続放出のための治療剤の製造における歯内治療用繊維の使用。
【請求項８】  （ａ）組み込まれた１つまたはそれ以上の抗生物質を有してなる、管内使用に適した歯内治療用繊維を得る工程；
（ｂ）繊維が治療部位と直接接触するように根管に（ａ）の繊維を挿入する工程；および
（ｃ）治療部位で繊維を維持する工程
を含み、それにより抗生物質が治療部位に送達される、歯内細菌感染の治療のための治療剤の製造における歯内治療用繊維の使用。
【請求項９】  （ａ）組み込まれた１つまたはそれ以上の薬物を有してなる、管内使用に適した歯内治療用繊維を得る工程；
（ｂ）繊維が治療部位と直接接触するように、挫滅組織切除され、洗浄された根管に（ａ）の繊維を挿入する工程；および
（ｃ）治療部位で繊維を維持する工程、
を含み、それにより薬物が制御された速度で治療部位に投与される、歯内治療を受ける根管の消毒のための治療剤の製造における歯内治療用繊維の使用。
【請求項１０】  （ａ）組み込まれた抗炎症剤を有する、管内使用に適した歯内治療用繊維を得る工程；
（ｂ）繊維が炎症組織と直接接触するように、挫滅組織切除され、洗浄された根管に繊維を配置する工程；および
（ｃ）治療部位で歯内治療用繊維を維持する工程、
を含み、それにより抗炎症剤が炎症部位に送達される、歯内治療を受ける歯の歯根尖周囲組織において炎症を減少させるための治療剤の製造における歯内治療用繊維の使用。
【請求項１１】  歯内治療用繊維が、改変された歯周用繊維および管内用繊維からなる群より選択される、請求項７〜１０いずれか記載の使用。
【請求項１２】  歯内障害の治療用薬物の製造のための歯内治療用繊維の使用。
【請求項１３】  歯内治療用繊維が改変された歯周用繊維である、請求項１２記載の使用。
【請求項１４】  歯内治療用繊維が管内用繊維である、請求項１２記載の使用。
【請求項１５】  歯周障害の治療用薬物の製造のための管内用繊維の使用。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  水中油型プロポフォールエマルジョンであって、ここで該油相は、本質的に水および小球から構成され、該小球が界面活性物質に囲まれたプロポフォールおよび水不混和性の因子を含み、該水不混和性因子が、該エマルジョンの約３重量％以下の量で存在する、プロポフォールエマルジョン。
【請求項２】  前記水不混和性因子がダイズ油である、請求項１に記載のエマルジョン。
【請求項３】  前記エマルジョンが防腐剤を含まない、請求項１に記載のエマルジョン。
【請求項４】  無菌で、発熱物質を含まず、注射可能な薬学的組成物であって、該組成物は、本質的に、請求項１に記載の少量のエマルジョン、および薬学的に受容可能な大量の注射可能なビヒクルから構成される、薬学的組成物。
【請求項５】  前記薬学的組成物が等張性である、請求項４に記載の注射可能な薬学的組成物。
【請求項６】  以下：
リン脂質膜層に囲まれる、プロポフォールコアから構成される直径約１６０ｎｍ〜約２００ｎｍの少量の小球；および薬学的に受容可能な注射可能な大量のキャリア、から構成されるエマルジョンであって、
ここで該組成物は、少なくとも１％（ｗ／ｖ）のプロポフォールを含み、そして該エマルジョンの重量に対して約１％〜約３％のダイズ油を含む、エマルジョン。
【請求項７】  水中油型エマルジョンを含む非経口的投与のための薬学的組成物であって、ここでプロポフォールが、水で乳化され、かつリン脂質により安定化されており、そして該組成物は１％（ｗ／ｖ）〜３％（ｗ／ｖ）のダイズ油を含み、該組成物は、１つ以上のＳｔａｐｈｙｌｏｃｃｏｕｓ  Ａｕｒｅｕｓ、Ｅｓｃｈｅｒｉｃｈｉａ  ｃｏｌｉ、Ｐｓｅｕｄｏｍｏｎａｓ  ａｅｒｕｇｉｎｏｓａおよびＣａｎｄｉｄａ  ａｌｂｉｃａｎｓでの汚染後２４時間の間それらの増殖が１０倍以下であるという点で特徴付けられている、組成物。
【請求項８】  非経口投与のために適切な水中油型エマルジョンの薬学的組成物を調製する方法であって、該方法は以下：
水不混和性溶媒中に疎水性のプロポフォールを溶解する工程、油相を構成する工程、界面活性物質および等張化剤を注射用水とともに混合する工程、水相を構成する工程、該油相と該水相とを混合して最初のエマルジョンを形成する工程、該最初の相をホモジナイザーを通して再循環して約１６０〜２００ｎｍの微小粒子を生成して最終エマルジョンを形成する工程、水酸化ナトリウムを用いて最終エマルジョンのｐＨを調節し７〜８．５のｐＨにする工程、および該エマルジョンを蒸気滅菌する工程、を包含する方法。
【請求項９】  前記水不混和性溶媒がダイズ油である、請求項８に記載の方法。
【請求項１０】  前記界面活性物質がレシチンである、請求項８に記載の方法。
【請求項１１】  前記等張化剤がグリセリンである、請求項８に記載の方法。
【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  ＶＮＴＲ（ｖａｒｉａｂｌｅ  ｎｕｍｂｅｒ  ｏｆ  ｔａｎｄｅｍ  ｒｅｐｅａｔｓ、可変数の縦列反復）ドメイン内のＭＵＣ１のペプチド変異体であって、ＰＡＰ２０配列の９及び１８及び／又は１９位が公知のＶＮＴＲドメインと異なる２０アミノ酸を含んで成るペプチド変異体。
【請求項２】  配列番号２の配列ＰＡＰＧＳＴＡＰＰＡＨＧＶＴＳＡＰＥＳＲ（ＰＡＰ−２０ＥＳ）によって特徴づけられる、請求項１に記載のペプチド変異体。
【請求項３】  配列番号３の配列ＰＡＰＧＳＴＡＰＡＡＨＧＶＴＳＡＰＥＳＲ（ＰＡＰ−２０ＡＥＳ）によって特徴づけられる、請求項１に記載のペプチド変異体。
【請求項４】  請求項１〜３のいずれか１項に記載のペプチドの少なくとも１つのそれらの内容物、又は配列番号１の配列ＰＡＰＧＳＴＡＰＡＡＨＧＶＴＳＡＰＤＴＲ（ＰＡＰ２０−Ａ）によって特徴づけられる免疫原性物質／試薬。
【請求項５】  請求項１〜３のいずれか１項に記載のペプチドの少なくとも１つのそれらの内容物、又は配列番号１の配列ＰＡＰＧＳＴＡＰＡＡＨＧＶＴＳＡＰＤＴＲ（ＰＡＰ２０−Ａ）によって特徴づけられる抗原性物質／試薬。
【請求項６】  ＶＮＴＲドメイン内のＤＮＡ変異の同定及び発生率の決定のための試験キットであって、請求項１〜３のいずれか１項に記載のペプチドの１つ、又は配列番号１の配列ＰＡＰＧＳＴＡＰＡＡＨＧＶＴＳＡＰＤＴＲ（ＰＡＰ２０−Ａ）に相当する、少なくとも１つのプライマー配列、を含むキット。
【請求項７】  制ガン剤の製造のための、特に腫瘍治療の関係において有効なワクチンの製造のための請求項１〜３のいずれか１項に記載のこれらのペプチド又は配列番号１の配列ＰＡＰＧＳＴＡＰＡＡＨＧＶＴＳＡＰＤＴＲ（ＰＡＰ２０−Ａ）の使用。
【手続補正書】
【提出日】平成19年2月26日(2007.2.26)
【手続補正１】
【補正対象書類名】明細書
【補正対象項目名】請求項１７
【補正方法】変更
【補正の内容】
【請求項１７】  目標レーン決定装置（１０）と、
実際運動決定装置（１１）と、
入力部が目標レーン決定装置（１０）と実際運動決定装置（１１）の出力部に接続された比較装置（１２）と、
入力部が比較装置（１２）の出力部に接続された情報決定装置（１５）と、
入力部が情報決定装置（１５）の出力部に接続された触覚的な伝達装置（１６）と
を備えた、特に請求項１，３〜１１のいずれか一つに記載の方法を実施するための、レーン上の車両の運動を監視するための装置。
【手続補正２】
【補正対象書類名】明細書
【補正対象項目名】請求項１８
【補正方法】変更
【補正の内容】
【請求項１８】  目標レーン決定装置（１０）と、
実際運動決定装置（１１）と、
入力部が目標レーン決定装置（１０）と実際運動決定装置（１１）の出力部に接続された比較装置（１２）と、
入力部が比較装置（１２）の出力部に接続された車輪ブレーキ制御装置（２５）と
を備えた、特に請求項２〜５，１２〜１６のいずれか一つに記載の方法を実施するための、レーン上の車両の運動に影響を与えるための装置。
【手続補正書】
【提出日】平成19年2月8日(2007.2.8)
【手続補正１】
【補正対象書類名】明細書
【補正対象項目名】特許請求の範囲
【補正方法】変更
【補正の内容】
【特許請求の範囲】
【請求項１】  ブレーキ倍力装置を車両固定の壁に固定するための手段（２）が備えられ、この手段が、ブレーキ倍力装置（１）の内部を通過し、この手段の第１の端部（１０）に、第１のケーシング部分（４）用の固定されたストッパー（１１）が設けられ、第２の端部（１２）に、回転運動によって調節可能な第２のケーシング部分（５）用のストッパー（１３）が設けられ、固定手段（２）用のケーシング穴を空気圧的にシールするための手段（１４）が備えられている、空気圧式ブレーキ倍力装置（１）において、固定手段（２）が調節可能なストッパー（１３）の調節範囲に接続する滑らかなシール区間（１７）を備えていることと、シール手段（１４）が、調節可能なストッパー（１３）の円錐状の接触面（１６）、滑らかなシール区間（１７）および付設のケーシング部分（５）に多面的に接触することによって、固定手段（２）と調節可能なストッパー（１３）の間の隙間（２１）と、ストッパー（１３）とケーシング部分（５）の間の隙間（２０）を閉鎖していることを特徴とする空気圧式ブレーキ倍力装置。
【請求項２】  ケーシング（５）、調節可能なストッパー（１３）および固定手段（２）の間の中間室（１８）が円錐円環状の形を有していることと、隙間（２０，２１）がブレーキ倍力装置（１）の内部から出発して中間室（１８）に開口していることを特徴とする請求項１記載の空気圧式ブレーキ倍力装置。
【請求項３】  固定手段（２）がシール区間（１７）に続いてねじ区間（２２）を備えていることと、このねじ区間（２２）がストッパー（１３）の調節範囲と共に、シール区間（１７）の軸方向長さを画成していることを特徴とする請求項１〜２のいずれか一つに記載の空気圧式ブレーキ倍力装置。
【請求項４】  ねじ区間（２２）の外径が、調節範囲のねじ（１５）の谷の径よりも小さいことを特徴とする請求項１〜３のいずれか一つに記載の空気圧式ブレーキ倍力装置。
【請求項５】  中間室（１８）の少なくとも一部区間が真空室（７）に接続され、それによって中間室（１８）と大気の間の負圧のためにケーシング部分（５）がシール作用を自己増幅するためにシール手段（１４）の方に押圧されることを特徴とする請求項２記載の空気圧式ブレーキ倍力装置。
【請求項６】  円錐状の接触面（１６）、シール区間（１７）およびケーシング部分（５）の内面（１９）が、円錐円環状中間室（１８）を画成していることを特徴とする請求項１，２または５記載の空気圧式ブレーキ倍力装置。
【請求項７】  調節可能なストッパー（１３）を固定手段（２）上で回転しないように保持するために、固定手段（２）上にストッパー（１３）を摩擦連結的に位置保持するための位置保持手段が設けられていることと、手段がストッパー（１３）および／または固定手段（２）上に直接配置され、この手段のために付加的な部品または作用媒体が不要であることを特徴とする請求項１〜６のいずれか一つに記載の空気圧式ブレーキ倍力装置。
【請求項８】  位置保持手段として、直接的または間接的なねじ変形部が設けられていることを特徴とする請求項７記載の空気圧式ブレーキ倍力装置。
【手続補正２】
【補正対象書類名】明細書
【補正対象項目名】０００８
【補正方法】変更
【補正の内容】
【０００８】
図２は、本発明によるブレーキ倍力装置の固定手段２の左側端部の詳細を示している。図１と同じ部品には同一の参照符号が付けてある。ストッパー１３は固定手段２のねじ区間１５上にあるナットとして形成されている。ストッパー１３はケーシング部分５に接触するための端面を備えている。この端面は半径方向内側がシール手段１４用の円錐状接触面１６に接続している。上記のねじ区間１５の軸方向長さはストッパー１３の調節範囲の長さを定めている。調節範囲の端側に滑らかなシール区間１７が接続している。このシール区間はねじ区間１５のねじ谷の径よりも小さな直径を有する。図から判るように、シール手段１４は円錐円環面状の中間室１８内にある。この中間室の壁はストッパー１３の円錐状の接触面１６と、滑らかなシール区間１７と、ケーシング部分５の内面１９によって形成されている。それによって、シール手段１４が多面で、本実施の形態では３面で接触することになるので、ストッパー１３とケーシング部分５の間の隙間２０が閉鎖される。更に、ストッパー１３と固定手段２の間の隙間２１も、滑らかなシール区間１７に接触することによって閉鎖される。従って、シール手段１４は２つの隙間２０，２１を閉鎖する。この隙間はそれぞれ、ブレーキ倍力装置内部から出発して中間室１８に開口している。
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項1】表面を有する複数の硫酸バリウム粒子と化学反応によって前記表面に結合する表面調節物質を含み、前記表面調節物質は下記の一般式によって表されるポリシロキサンを含む、表面処理された硫酸バリウム生成物:
【化1】
2002541051.tif 000001
式中、nは1より大きい整数であり、
XはHであり、
RはC1-C20アルキルであり、そして
Y及びZはケイ素含有末端基である。
【請求項2】Rはメチル基である請求項1記載の表面処理された硫酸バリウム生成物。
【請求項3】nは約50〜80、Rはメチル基、Yは(CH3)3SiO-、またZは-Si(CH3)3である請求項1記載の表面処理された硫酸バリウム生成物。
【請求項4】前記硫酸バリウム粒子は乾燥粉砕硫酸バリウム、粉砕硫酸バリウムのスラリー及び沈降硫酸バリウムから成る群から選ばれる請求項1記載の表面処理された硫酸バリウム生成物。
【請求項5】前記硫酸バリウム粒子は約0.1〜10ミクロンのメディアン粒度を有する請求項1記載の表面処理された硫酸バリウム生成物。
【請求項6】前記表面調節物質は実質的に前記ポリシロキサンから成る請求項1記載の表面処理された硫酸バリウム生成物。
【請求項7】a)表面を有する複数の硫酸バリウム粒子を準備する工程、
b)下記の一般式によって表されるポリシロキサンを準備する工程:
【化2】
2002541051.tif 000002
式中、nは1より大きい整数であり、
XはHであり、
RはC1-C20アルキルであり、そして
Y及びZはケイ素含有末端基であり、そして
c)前記ポリシロキサンを前記硫酸バリウム粒子の重量に基づいて約0.1〜約2.0重量%の量であって、前記ポリシロキサンのSi-H基と前記硫酸バリウム粒子の表面との間の化学反応を経由して前記ポリシロキサンを前記硫酸バリウム粒子の表面に結合させるのに有効な量で前記硫酸バリウム粒子に混合する工程、
から実質的に成る表面処理された硫酸バリウム生成物の調製方法。
【請求項8】前記表面処理された硫酸バリウム粒子を乾燥する工程を更に含む請求項7記載の方法。
【請求項9】前記表面処理された硫酸バリウム粒子を粉砕する工程を更に含む請求項7記載の方法。
【請求項10】前記ポリシロキサンは前記硫酸バリウム粒子の重量に基づいて約0.5〜約1.5重量%の量で前記硫酸バリウム粒子に混合される請求項7記載の方法。
【請求項11】乾燥工程の前に前記表面処理された硫酸バリウム粒子を濾過する工程を更に含む請求項8記載の方法。
【請求項12】前記硫酸バリウム粒子は約0.1〜約10ミクロンの平均粒度を有する請求項1記載の方法。
【請求項13】nは約50〜80、Rはメチル基、Yは(CH3)3SiO-、またZは-Si(CH3)3である請求項1記載の方法。
【請求項14】a)表面を有する複数の硫酸バリウム粒子を準備する工程、
b)下記の一般式によって表されるポリシロキサンを準備する工程:
【化3】
2002541051.tif 000003
式中、nは1より大きい整数であり、
XはHであり、
RはC1-C20アルキルであり、そして
Y及びZはケイ素含有末端基であり、そして
C)前記ポリシロキサンの水性エマルジョンを前記硫酸バリウム粒子の重量に基づいて約0.1〜約2.0重量%の量であって、前記ポリシロキサンのSi-H基と前記硫酸バリウム粒子の表面との間の化学反応を経由して前記ポリシロキサンを前記硫酸バリウム粒子の表面に結合させるのに有効な量で前記硫酸バリウム粒子に混合する工程、
から実質的に成る表面処理された硫酸バリウム生成物の調製方法。
【請求項15】nは約50〜80、Rはメチル基、Yは(CH3)3SiO-、またZは-Si(CH3)3である請求項14記載の方法。
【請求項16】前記表面処理された硫酸バリウム粒子を乾燥する工程を更に含む請求項14記載の方法。
【請求項17】前記表面処理された硫酸バリウム粒子を粉砕する工程を更に含む請求項14記載の方法。
【請求項18】前記水性エマルジョンはポリシロキサンを約30〜約70重量%で含有し、また界面活性剤を活性基準で約1.0〜約3.0重量%で含有する請求項14記載の方法。
【請求項19】前記界面活性剤は非イオン性でありそしてこの非イオン界面活性剤は少なくとも約9の親水親油バランスを有する請求項18記載の方法。
【請求項20】前記硫酸バリウム粒子は約0.1〜10ミクロンのメディアン粒度を有する請求項14記載の方法。
【請求項21】前記水性エマルジョンは前記硫酸バリウム粒子の重量に基づいて約0.5〜約1.5重量%の前記ポリシロキサンの活性基準量で前記硫酸バリウム粒子に混合される請求項14記載の方法。
【請求項22】
重合体樹脂、及び
前記重合体樹脂と混合された複数の硫酸バリウム粒子であって、表面と、化学反応によって前記表面に結合する表面調節物質を有する硫酸バリウム粒子を含む重合体樹脂組成物であって、
前記表面調節物質は下記の一般式によって表されるポリシロキサンを含む、
【化4】
2002541051.tif 000004
（式中、nは1より大きい整数であり、
XはHであり、
RはC1-C20アルキル基であり、そして
Y及びZはケイ素含有末端基である）
前記の重合体樹脂組成物。
【請求項23】
前記重合体樹脂はポリオレフィン及びポリ塩化ビニルから成る群から選ばれる、請求項22記載の組成物。
【請求項24】
Rはメチル基である、請求項22に記載の組成物。
【請求項25】
nは約50〜80、Rはメチル基、Yは(CH3)3SiO-、またZは-Si(CH3)3である請求項22記載の組成物。
【請求項26】前記硫酸バリウム粒子は約0.1〜10ミクロンのメディアン粒度を有する請求項22記載の組成物。
【請求項27】前記表面調節物質は実質的に前記ポリシロキサンから成る請求項22記載の組成物。
【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】  神経細胞の増殖を生じるための有効量で神経の増殖を刺激する活性を有するヒトのＮｅｕｒａｌ  Ｐｌａｋｏｐｈｉｌｉｎ  Ｒｅｌａｔｅｄ  Ａｒｍａｄｉｌｌｏ  Ｐｒｏｔｅｉｎ（ｈＮＰＲＡＰ）ポリペプチドを含む、神経細胞の増殖を刺激するための組成物。
【請求項２】  前記ｈＮＰＲＡＰが全長のｈＮＰＲＡＰである、請求項１に記載の組成物。
【請求項３】  前記ｈＮＰＲＡＰが配列番号４に示すアミノ酸配列を有する、請求項２に記載の組成物。
【請求項４】  前記神経細胞の増殖がニューロンの再生を生じる、請求項１に記載の組成物。
【請求項５】  前記ニューロンの再生がシナプスの形成を生じる、請求項４に記載の組成物。
【請求項６】  前記神経細胞が、ｈＮＰＲＡＰの発現を刺激する因子によって誘導されたｈＮＰＲＡＰと接触させられる、請求項１に記載の組成物。
【請求項７】  前記ｈＮＰＲＡＰの発現を刺激する因子が、ｈＮＰＲＡＰをコードするポリヌクレオチドおよびｈＮＰＲＡＰの発現のためのプロモーターを含む遺伝子治療ベクターである、請求項６に記載の組成物。
【請求項８】  前記神経細胞の増殖がニューロンの再生を生じる、請求項６に記載の組成物。
【請求項９】  神経の増殖を刺激する活性を有するｈＮＰＲＡＰおよびキャリアを含有している、薬学的組成物。
【請求項１０】  前記ｈＮＰＲＡＰが全長のｈＮＰＲＡＰである、請求項９に記載の薬学的組成物。
【請求項１１】  前記ｈＮＰＲＡＰが配列番号４に示すアミノ酸配列を有する、請求項１０に記載の薬学的組成物。
【請求項１２】  ｈＮＰＲＡＰをコードするポリヌクレオチドおよびｈＮＰＲＡＰの発現のためのプロモーターを含むｈＮＰＲＡＰ遺伝子治療ベクターおよびキャリアを含有している、薬学的組成物。
【請求項１３】  コントロールと比較して、試験物質と接触させたｈＮＰＲＡＰを発現する培養細胞中で発現されたｈＮＰＲＡＰのレベルを測定する工程を包含する、ｈＮＰＲＡＰの発現を調節する物質を同定する方法であって、ここで、コントロールと比較して、該試験物質と接触させた細胞中でのｈＮＰＲＡＰの発現レベルにおける差異は、該試
験物質がｈＮＰＲＡＰの発現を調節することを示す、方法。
【請求項１４】  神経細胞の増殖を刺激する薬学的組成物の調製のための、ｈＮＰＲＡＰポリペプチドの使用。
【請求項１５】  前記ｈＮＰＲＡＰが全長のｈＮＰＲＡＰである、請求項１４に記載の使用。
【請求項１６】  前記ｈＮＰＲＡＰが配列番号４に示すアミノ酸配列を有する、請求項１５に記載の使用。
【請求項１７】  前記神経細胞の増殖がニューロンの再生を生じる、請求項１４に記載の使用。
【請求項１８】  前記ニューロンの再生がシナプスの形成を生じる、請求項１７に記載の使用。
【請求項１９】  前記神経細胞が、ｈＮＰＲＡＰの発現を刺激する因子によって誘導されたｈＮＰＲＡＰと接触させられる、請求項１４に記載の使用。
【請求項２０】  前記ｈＮＰＲＡＰの発現を刺激する因子が、ｈＮＰＲＡＰをコードするポリヌクレオチドおよびｈＮＰＲＡＰの発現のためのプロモーターを含む遺伝子治療ベクターである、請求項１９に記載の使用。
【請求項２１】  前記神経細胞の増殖がニューロンの再生を生じる、請求項１９に記載の使用。
【請求項２２】  神経細胞を、神経細胞の増殖を生じるための有効量で神経の増殖を刺激する活性を有するヒトのＮｅｕｒａｌ  Ｐｌａｋｏｐｈｉｌｉｎ  Ｒｅｌａｔｅｄ  Ａｒｍａｄｉｌｌｏ  Ｐｒｏｔｅｉｎ（ｈＮＰＲＡＰ）ポリペプチドと接触させる工程を包含する、神経細胞の増殖を刺激するインビトロでの方法。
【請求項２３】  前記ｈＮＰＲＡＰが全長のｈＮＰＲＡＰである、請求項２２に記載の方法。
【請求項２４】  前記ｈＮＰＲＡＰが配列番号４に示すアミノ酸配列を有する、請求項２３に記載の方法。
【請求項２５】  前記神経細胞の増殖がニューロンの再生を生じる、請求項２２に記載の方法。
【請求項２６】  前記ニューロンの再生がシナプスの形成を生じる、請求項２５に記載の方法。
【請求項２７】  前記神経細胞が、ｈＮＰＲＡＰの発現を刺激する因子によって誘導されたｈＮＰＲＡＰと接触させられる、請求項２２に記載の方法。
【請求項２８】  前記ｈＮＰＲＡＰの発現を刺激する因子が、ｈＮＰＲＡＰをコードするポリヌクレオチドおよびｈＮＰＲＡＰの発現のためのプロモーターを含む遺伝子治療ベクターである、請求項２７に記載の方法。
【請求項２９】  前記神経細胞の増殖がニューロンの再生を生じる、請求項２７に記載の方法。
【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  シアン化ナトリウム、塩基、水を含むペースト組成物であって、前記シアン化ナトリウムは前記組成物中に４５〜８２質量％の量で存在し、および前記組成物は、１ｓ−１から１０ｓ−１の剪断速度範囲内において２〜５００Ｐａ・ｓの粘度を有することを特徴とするペースト組成物。
【請求項２】  前記組成物中に、前記組成物の総重量を基準として、０．０１〜１０質量％の範囲内で存在するレオロジー調整剤、および０〜６質量％の炭酸ナトリウムをさらに含み、前記シアン化ナトリウムは、６０〜７５質量％の範囲内で前記組成物中に存在し、前記塩基は、金属酸化物、金属水酸化物、金属水硫化物、金属炭酸塩、または金属重炭酸塩であり、および前記金属化合物中の金属はＩＡ属金属またはIIＡ属金属であることを特徴とする請求項１に記載の組成物。
【請求項３】  前記レオロジー調整剤はギ酸ナトリウムであり、および前記組成物中に０．３〜６質量％の範囲内で存在し；ならびに前記塩基は水酸化ナトリウムであり、および前記組成物中に３〜１２質量％の範囲内で存在することを特徴とする請求項２に記載の組成物。
【請求項４】  前記組成物は、少なくとも６０％の前記シアン化ナトリウム、３〜７％の前記塩基、１〜４％の前記レオロジー調整剤、および少なくとも１８％の水を含み；前記塩基は水酸化ナトリウムであり、および前記レオロジー調整剤はギ酸ナトリウムであることを特徴とする請求項２に記載の組成物。
【請求項５】  （ａ）シアン化ナトリウムを含む水性媒質の製造を実施するのに充分な塩基の存在下、充分な温度において、シアン化水素またはシアン化水素反応器ガスを、水酸化ナトリウムを含む水性媒質と接触させる工程と、
（ｂ）前記シアン化ナトリウムを含む水性媒質を冷却して、シアン化水素ペースト組成物の製造を実施する工程と
を具えたことを特徴とするシアン化ナトリウムペースト組成物を調製するための方法。
【請求項６】  前記水酸化ナトリウムを含む水性媒質は、レオロジー調整剤をさらに含むことを特徴とする請求項５に記載の方法。
【請求項７】  前記塩基は水酸化ナトリウムであり、および前記レオロジー調整剤はギ酸ナトリウムであることを特徴とする請求項６に記載の方法。
【請求項８】  前記ギ酸ナトリウムを、前記方法の工程（ａ）中にインサイチューで発生させることを特徴とする請求項７に記載の方法。
【請求項９】  鉱石とペースト組成物を、前記鉱石から金属を浸出するのに充分な条件下において接触させる工程を含む方法であって、前記ペースト組成物は請求項１から４のいずれかに記載されたものと同一であるか、または請求項５から８のいずれかに記載された方法により製造されることを特徴とする方法。
【手続補正２】
【補正対象書類名】明細書
【補正対象項目名】００５９
【補正方法】変更
【補正の内容】
【００５９】
データは、本発明のペースト組成物が容易に溶解して、溶解する水の温度および流量が増大するのに伴い、およびペーストのパーセント固形分が減少するにつれて、溶液を形成しおよびペーストを溶解するのに必要とされる時間が減少したことを示す。ペーストの初期温度は、４〜２３℃の範囲内において、溶解時間にほとんど影響しなかった。
以下に、本発明の好ましい態様を示す。
［１］  シアン化ナトリウム、塩基、水を含むペースト組成物であって、前記組成物は、１ｓ−１から１０ｓ−１の剪断速度範囲内において２〜５００Ｐａ・ｓの粘度を有することを特徴とするペースト組成物。
［２］  前記シアン化ナトリウムは、６０〜７５質量％の範囲内で前記組成物中に存在し、前記塩基は、金属酸化物、金属水酸化物、金属水硫化物、金属炭酸塩、または金属重炭酸塩であり、および前記金属化合物中の金属はＩＡ属金属またはIIＡ属金属であることを特徴とする［１］に記載の組成物。
［３］  前記組成物中に０．０１〜１０質量％の範囲内で存在するレオロジー調整剤をさらに含むことを特徴とする［１］または[２]に記載の組成物。
［４］  前記レオロジー調整剤はギ酸ナトリウムであり、および前記組成物中に０．３〜６質量％の範囲内で存在し；ならびに前記塩基は水酸化ナトリウムであり、および前記組成物中に３〜１２質量％の範囲内で存在することを特徴とする［３］に記載の組成物。
［５］  前記組成物は、少なくとも６０％の前記シアン化ナトリウム、３〜７％の前記塩基、１〜４％の前記レオロジー調整剤、および少なくとも１８％の水を含み；前記塩基は水酸化ナトリウムであり、および前記レオロジー調整剤はギ酸ナトリウムであることを特徴とする［５］に記載の組成物。
［６］  該組成物の総重量を基準として、０〜６質量％の炭酸ナトリウムをさらに含むことを特徴とする［１］〜［５］のいずれかに記載の組成物。
［７］  前記組成物は、前記シアン化ナトリウム、前記塩基、前記水、および前記レオロジー調整剤を組み合わせることにより製造されることを特徴とする［４］〜［６］のいずれかに記載の組成物。
［８］  （ａ）シアン化ナトリウムを含む水性媒質の製造を実施するのに充分な塩基の存在下、充分な温度において、シアン化水素またはシアン化水素反応器ガスを、水酸化ナトリウムを含む水性媒質と接触させる工程と、
（ｂ）前記シアン化ナトリウムを含む水性媒質を冷却して、シアン化水素ペースト組成物の製造を実施する工程と
を具えたことを特徴とするシアン化ナトリウムペースト組成物を調製するための方法。
［９］  工程（ａ）における前記接触工程は、前記シアン化水素またはシアン化水素反応器ガスを前記水酸化ナトリウムを含む前記水性媒質中へと吸収させることにより実施され：および前記水酸化ナトリウムを含む水性媒質は、同時の蒸発および結晶化を伴う循環する結晶スラリーを含む吸収器−結晶化器中にあることを特徴とする［８］に記載の方法。
［１０］  前記水酸化ナトリウムを含む水性媒質は、レオロジー調整剤をさらに含むことを特徴とする［８］または［９］に記載の方法。
［１１］  前記塩基は水酸化ナトリウムであり、および前記レオロジー調整剤はギ酸ナトリウムであることを特徴とする［１０］に記載の方法。
［１２］  前記ギ酸ナトリウムを、前記方法の工程（ａ）中にインサイチューで発生させることを特徴とする［１１］の方法。
［１３］  工程（ａ）と工程（ｂ）との間に、脱水工程をさらに含むことを特徴とする［８］〜［１２］のいずれかに記載の方法。
［１４］  鉱石とペースト組成物を、前記鉱石から金属を浸出するのに充分な条件下において接触させる工程を含む方法であって、前記ペースト組成物は［１］〜［７］のいずれかに記載されたものと同一であるか、または［９］〜［１３］のいずれかに記載された方法により製造されることを特徴とする方法。
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】
農薬有効成分と式（Ｉ）のアジュバントおよびその塩を含有する農薬組成物。
Ｘ-（Ｒ3Ｏ）ａ-Ｒ4-ＮＲ2Ｒ1    （Ｉ）
式中、Ｒ1およびＲ2は、独立して水素または炭素原子数１から４の低級アルキル基であり、
Ｒ3Ｏはエトキシ、プロポキシまたはブトキシ基あるいはそのランダムまたはブロック混合物であり、
Ｒ4は炭素原子数１から４の直鎖または分岐鎖のアルキレン連結基であり、
Ｘは
（ＩＡ）-ＯＨまたは炭素原子数１から４の低級アルコキシ基であるか、またはＸは
（ＩＢ）基Ｒ5Ｒ6Ｎ-であり、ここでＲ5とＲ6は独立して水素または炭素原子数１から４の低級アルキル基であるか、またはＸは
（ＩＣ）基
【化１】
2002541075.tif 000001
であり、ここでＲ8ＯとＲ12Ｏは独立してエトキシまたはプロポキシ、あるいはそのランダムまたはブロック混合物であり、Ｒ9とＲ13は独立して炭素原子数２から３の直鎖または分岐鎖のアルキレン連結基であり、Ｒ21は炭素原子数１から３の直鎖または分岐鎖のアルキレン連結基であり、Ｒ18は水素または炭素原子数１から４の低級アルキル基であり、ｄは０または１であり、
ここでａは１から４００であり、またはＸが式ＩＣのとき、ａ、ｂおよびｃの合計は３から４００であり、
但し、Ｘが式（ＩＢ）のとき、式（Ｉ）のアジュバントは次の構造
【化２】
2002541075.tif 000002
ここでｎは２または３である、
を有さない。
【請求項２】
ａが１から５０であり、またはもしＸが式ＩＣで表される場合、ａ、ｂおよびｃの合計は３から９０である、請求項１に記載の組成物。
【請求項３】
式（Ｉ）のアジュバントが式ＩＩ：
ＣＨ3-Ｏ-（-ＣＨ2ＣＨ2Ｏ-）x-（-ＣＨ2-ＣＨ（ＣＨ3）-Ｏ-）y-ＣＨ2-ＣＨ（ＣＨ3）-ＮＨ2
（ＩＩ）
ここで、エトキシル化度の平均（ｘ）は０から約４５であり、プロポキシル化度の平均（ｙ）は０から約９０であり、ここでｘとｙは同時に０ではない、
で表される、アルコキシル化モノアミンである、請求項１に記載の組成物。
【請求項４】
ｘの値が０から約２０であり、ｙの値が約２から約３０である、請求項３に記載の組成物。
【請求項５】
式（Ｉ）の化合物が式（ＩＩＩ）：
Ｈ2Ｎ-（ＣＨ（ＣＨ3）-ＣＨ2-Ｏ）ｗ-ＣＨ2-ＣＨ（ＣＨ3）-ＮＨ2    （ＩＩＩ）
ここでｗは平均を表し、約１から約８０である、
で表されるジアミンである、請求項１に記載の組成物。
【請求項６】
ｗが平均を表し、約２から約３５である、請求項５に記載の組成物。
【請求項７】
式（Ｉ）の化合物が式（ＩＶ）：
Ｈ2Ｎ-（ＣＨ（ＣＨ3）-ＣＨ2-Ｏ）r-（ＣＨ2ＣＨ2-Ｏ）s-（ＣＨ2-ＣＨ（ＣＨ3）-Ｏ-）t-ＣＨ2-ＣＨ（ＣＨ3）ＮＨ2     （ＩＶ）
ここでｒ＋ｔの合計は平均であって、１から２０のプロポキシ基を、ｓは平均であって２から５０のエトキシ単位を示す、
で表されるジアミンである、請求項１の組成物。
【請求項８】
ｒ＋ｔの合計が約２から１５であり、ｓが約３から約２０である、請求項７の組成物。
【請求項９】
式（Ｉ）の化合物が式（Ｖ）：
【化３】
2002541075.tif 000003
ここでｄ＋ｅ＋ｆの合計は平均を表し、約５から９０であり、Ｒ22は水素、または炭素原子数１から４の低級アルキル、Ｒ21は炭素原子数１から３の直鎖または分岐鎖のアルキレン連結基であり、ｄは０または１である、
で表される、プロポキシル化トリアミンである、請求項１の組成物。
【請求項１０】
式（Ｉ）のアジュバントの農薬に対する割合が重量で１：２０から３：１である、請求項１から９のいずれかの組成物。
【請求項１１】
請求項１の式（Ｉ）のアジュバントがアルキルポリグリコシド表面活性剤と共に用いられる、請求項１から１０のいずれかの組成物。
【請求項１２】
式（Ｉ）のアジュバントのアルキルポリグリコシド表面活性剤に対する比が１：４０から４：１である、請求項１１の組成物。
【請求項１３】
農薬有効成分がグリホセートの塩、フォメサーフェンの塩、またはパラコートの塩である、請求項１から１２のいずれかの組成物。
【請求項１４】
請求項１に記載の式（Ｉ）のアジュバントをグリホセートとの塩、または酸性表面活性剤との塩の形で使用する、請求項１から１２のいずれかの組成物。
【請求項１５】
請求項１から１４のいずれかに記載の組成物を、除草に有効な量、植物または植物の生育媒体に与えることを含有する、不用植物を厳しく損傷させる、または枯死させる方法。
【請求項１６】
０．０１重量パーセントから９０重量パーセントの有効成分を含有する水性組成物である、請求項１から１４のいずれかの組成物。